(57)【要約】【課題】デュアルスキャン方式で画像表示装置を駆動する際に生じる画質の劣化を簡易な構成で低減することのできる技術を提供する。【解決手段】本発明の画像表示装置は、走査方向に並んだ第１の領域と第２の領域を少なくとも有する表示パネルと、第１の領域及び第２の領域に対して共通に設けられた走査回路と、第１の領域に対して設けられた第１の変調回路と、第２の領域に対して設けられた第２の変調回路と、を有し、第１の変調回路が印加する変調信号と第２の変調回路が印加する変調信号は、波高値が変化する部分と一定の波高値の部分とを有するパルス信号であり、第１の変調回路と第２の変調回路は、第１の変調回路が印加する変調信号の一定の波高値の部分と第２の変調回路が印加する変調信号の一定の波高値の部分とが時間的に重ならないようなタイミングで、変調信号を印加する。【選択図】図１２
2011141360.tif 000002
【特許請求の範囲】
【請求項１】
走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、
前記第１の領域及び前記第２の領域に対して共通に設けられ、前記第１の領域の走査配線を走査する期間の少なくとも一部と前記第２の領域の走査配線を走査する期間の少なくとも一部とが重複するように、各領域の走査配線の走査を行う走査回路と、
前記第１の領域に対して設けられ、前記第１の領域の複数の変調配線に変調信号を印加する第１の変調回路と、
前記第２の領域に対して設けられ、前記第２の領域の複数の変調配線に変調信号を印加する第２の変調回路と、
を有し、
前記第１の変調回路が印加する変調信号と前記第２の変調回路が印加する変調信号は、波高値が変化する部分と一定の波高値の部分とを有するパルス信号であり、
前記第１の変調回路と前記第２の変調回路は、前記第１の変調回路が印加する変調信号の一定の波高値の部分と前記第２の変調回路が印加する変調信号の一定の波高値の部分とが時間的に重ならないタイミングで、変調信号を印加する
ことを特徴とする画像表示装置。
【請求項２】
前記第１の変調回路と前記第２の変調回路は、前記走査回路により前記第１の領域と前記第２の領域の間の境界から所定の範囲内に位置する走査配線が選択されている期間のみ、前記第１の変調回路が印加する変調信号の一定の波高値の部分と前記第２の変調回路が印加する変調信号の一定の波高値の部分とが時間的に重ならないタイミングで、変調信号を印加する
ことを特徴とする請求項１に記載の画像表示装置。
【請求項３】
走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、
前記第１の領域及び前記第２の領域に対して共通に設けられ、前記第１の領域の走査配線を走査する期間の少なくとも一部と前記第２の領域の走査配線を走査する期間の少なくとも一部とが重複するように、各領域の走査配線の走査を行う走査回路と、
前記第１の領域に対して設けられ、前記第１の領域の複数の変調配線に変調信号を印加する第１の変調回路と、
前記第２の領域に対して設けられ、前記第２の領域の複数の変調配線に変調信号を印加する第２の変調回路と、
を有し、
前記第１の変調回路が印加する変調信号と前記第２の変調回路が印加する変調信号は、パルス幅、又は、パルス幅と波高値の両方が変調されたパルス信号であり、
前記第１の変調回路と前記第２の変調回路は、前記第１の変調回路が印加する変調信号の立ち上がりと前記第２の変調回路が印加する変調信号の立ち上がりとが時間的に異なるタイミングで、変調信号を印加する
ことを特徴とする画像表示装置。
【請求項４】
前記走査回路は、前記第１の領域の走査配線を、前記第２の領域の走査配線とは逆方向に走査する
ことを特徴とする請求項１〜３のいずれか１項に記載の画像表示装置。
【請求項５】
前記第１の変調回路が印加する変調信号と前記第２の変調回路が印加する変調信号は、パルス幅、又は、パルス幅と波高値の両方が変調されたパルス信号であって、前記表示素子の表示特性のばらつきを補正するためにパルス幅が補正された信号である
ことを特徴とする請求項１〜４のいずれか１項に記載の画像表示装置。
【請求項６】
走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、前記第１の領域及び前記第２の領域に対して共通に設けられた走査回路と、前記第１の領域に対して設けられ、前記第１の領域の複数の変調配線に変調信号を印加する第１の変調回路と、前記第２の領域に対して設けられ、前記第２の領域の複数の変調配線に変調信号を印加する第２の変調回路と、を有する画像表示装置の制御方法であって、
前記走査回路が、前記第１の領域の走査配線を走査する期間の少なくとも一部と前記第２の領域の走査配線を走査する期間の少なくとも一部とが重複するように、各領域の走査配線の走査を行う走査ステップと、
前記第１の変調回路及び前記第２の変調回路が、対応する領域の複数の変調配線に変調信号を印加する印加ステップと、
を有し、
前記第１の変調回路が印加する変調信号と前記第２の変調回路が印加する変調信号は、波高値が変化する部分と一定の波高値の部分とを有するパルス信号であり、
前記印加ステップにおいて、前記第１の変調回路と前記第２の変調回路は、前記第１の変調回路が印加する変調信号の一定の波高値の部分と前記第２の変調回路が印加する変調信号の一定の波高値の部分とが時間的に重ならないタイミングで、変調信号を印加する
ことを特徴とする画像表示装置の制御方法。
【請求項７】
走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、前記第１の領域及び前記第２の領域に対して共通に設けられた走査回路と、前記第１の領域に対して設けられ、前記第１の領域の複数の変調配線に変調信号を印加する第１の変調回路と、前記第２の領域に対して設けられ、前記第２の領域の複数の変調配線に変調信号を印加する第２の変調回路と、を有する画像表示装置の制御方法であって、
前記走査回路が、前記第１の領域の走査配線を走査する期間の少なくとも一部と前記第２の領域の走査配線を走査する期間の少なくとも一部とが重複するように、各領域の走査配線の走査を行う走査ステップと、
前記第１の変調回路及び前記第２の変調回路が、対応する領域の複数の変調配線に変調信号を印加する印加ステップと、
を有し、
前記第１の変調回路が印加する変調信号と前記第２の変調回路が印加する変調信号は、パルス幅、又は、パルス幅と波高値の両方が変調されたパルス信号であり、
前記印加ステップにおいて、前記第１の変調回路と前記第２の変調回路は、前記第１の変調回路が印加する変調信号の立ち上がりと前記第２の変調回路が印加する変調信号の立ち上がりとが時間的に異なるタイミングで、変調信号を印加する
ことを特徴とする画像表示装置の制御方法。
【発明の詳細な説明】
【技術分野】
【０００１】
本発明は、画像表示装置および画像表示装置の制御方法に関する。
【背景技術】
【０００２】
近年、フラットパネルディスプレイ(ＦＰＤ)の分野が飛躍的に発展している。ＦＰＤとしては、液晶表示装置（ＬＣＤ）、プラズマ表示装置（ＰＤＰ）、エレクトロルミネッセンス表示装置（ＥＬＤ）、フィールドエミッション表示装置（ＦＥＤ）などがある。
特に、ＦＥＤは、行配線（走査配線）と列配線（変調配線）との交差点に電界放出素子が位置するシンプルなパネル構造（パッシブマトリクス構造）を有しており、低コストで高速応答可能という特徴を有する。そのため、ＦＥＤは、次世代ディスプレイとして期待されている。
しかしながら、パッシブマトリクス構造のディスプレイでは、表示面積の増加に伴い、ライン抵抗やライン間容量が増加し、ＲＣ応答時間が増加してしまう。ＲＣ応答時間の増加（遅延）は、ディスプレイの動作を遅くしたり、ディスプレイの輝度を減少させる原因となる。
【０００３】
そのような問題を解決するための方法として、ディスプレイパネルの表示領域（複数の行配線）を上側領域と下側領域に分けてそれぞれの領域の行配線を並列に走査（スキャン）する方法（二重スキャン；デュアルスキャン方式）がある。この方法によればディスプレイの発光時間を増やすことができるため、輝度を増加させ、ライン抵抗とライン間容量による影響を減らすことができる。なお、デュアルスキャン方式で駆動可能な表示装置では、一般的に、列配線が上側領域と下側領域の境界で分割されており、上側領域の列配線と下側領域の列配線とにそれぞれ独立に変調信号が入力される。
【０００４】
また、デュアルスキャン方式で動画像を表示すると表示映像に不連続感が生じる虞があるため、以下の２つの方法が提案されている。
１つ目は、上側領域と下側領域とで行配線の走査方向を反転させる方法である（特許文献１）。即ち、上側領域では下から上へ走査し、下側領域では上から下へ走査する。あるいは、その逆に、上側領域では上から下へ走査し、下側領域では下から上へ走査する。
２つ目は、上側領域と下側領域とで行配線の走査方向を同一とし、入力映像信号の垂直周期の２分の１の期間ずつずれたフレームの映像信号（補間済映像信号）で上側領域の配列線群と下側領域の配列線群とを駆動する方法である（特許文献２，３）。
また、動画像を表示した際に生じる画面歪み(ディストーション)を低減するために、デュアルスキャン方式により水平走査期間を２倍にするのではなく、走査回数を２〜４倍にしてリフレッシュレートを１２０〜２４０Ｈｚにする構成がある（特許文献３）。
【先行技術文献】
【特許文献】
【０００５】
【特許文献１】特開平０５−１４３０１９号公報
【特許文献２】特開平１０−２６８２６１号公報
【特許文献３】特開２００５−３３８４９１号公報
【発明の概要】
【発明が解決しようとする課題】
【０００６】
図２に、パッシブマトリクス構造の表示装置をデュアルスキャン方式で駆動する際の、一般的な駆動方法（駆動波形）を示す。図２において、第１行配線（画面上から１番目の行配線）〜第Ｍ行配線（画面上からＭ番目の行配線）が上側領域の行配線である。第Ｍ＋
１行配線（画面上からＭ＋１番目の行配線）〜第２Ｍ行配線（画面上から２Ｍ番目の行配線）が下側領域の行配線である。なお、図２は、変調信号の波高値を変調する場合の例である。また、１つの回路（走査回路）が２つのパルス信号を同時に出力して、上側領域と下側領域の行配線をそれぞれ上から下へ走査する場合の例である。
図２に示すように、一般的な駆動方法では、第１行配線と第Ｍ＋１行配線、第２行配線と第Ｍ＋２行配線、・・・、第Ｍ行配線と第２Ｍ行配線に、それぞれ、同じタイミングで同じパルス幅のパルス信号（走査信号）が印加される。また、上側領域の列配線と下側領域の列配線には、走査信号に同期して、同じタイミングで同じパルス幅のパルス信号（変調信号）が印加される。
【０００７】
しかしながら、このような駆動方法で図３（Ｂ）のような画像を表示しようとすると、図３（Ｆ）のように上側領域の帯部分４１に表示斑４２が発生してしまう。発明者は、鋭意研究の結果、この現象が以下のようなメカニズムで発生することをつきとめた。図４，図５（Ａ），図５（Ｂ），図６（Ａ），図６（Ｂ）は、ぞれぞれ、図３（Ａ）〜図３（Ｅ）の画像を表示する場合の駆動波形を示す。なお、図４，図５（Ａ），図５（Ｂ），図６（Ａ），図６（Ｂ）中の「第Ｍ行近傍の上画面第Ａ列配線駆動波形」とは、第Ａ列配線（帯部分４１が存在する上側領域の変調配線）に入力される変調信号の第Ｍ行配線近傍での波形を意味する。
【０００８】
図４に示すように、図３（Ａ）のような画像（幅の大きい（行方向の長さが長い）帯部分４３を含まない画像）を表示する場合の走査信号の波形にはノイズが殆ど現れない。
一方、図５（Ａ）に示すように、図３（Ｂ）のような画像（帯部分４３を含む画像）を表示する場合の走査信号の波形にはノイズが現れる。具体的には、列配線と行配線が容量結合しているため、帯部分４３のような画像を表示するための変調信号の立ち上がりや立ち下がりのタイミングで、下側領域の行配線に入力される走査信号（電位）がいっせいに揺らされる。そして、上記電位の揺れは、上側領域と下側領域とで共通する走査回路のＧＮＤ電位や走査信号（上側領域の走査配線に入力する走査信号）にまで伝播する。
【０００９】
この電位の揺れ（ノイズ）は、伝播する過程で徐々に減衰するため、上側領域の行配線に入力する走査信号の全てに伝播されるわけではない。具体的には、上側領域の行配線のうち、下側領域近傍の行配線に入力する走査信号のみが影響を受ける。
【００１０】
即ち、図３（Ｂ）や図３（Ｅ）に示すように上側領域の下側領域近傍の行配線を選択するタイミングで下側領域に帯部分４３のような画像を表示すると、走査方向に依らず、以下のような過程で表示斑４２が発生してしまう。
図５（Ａ）や図６（Ｂ）に示すように、まず、下側領域のノイズが上側領域の下側領域近傍の行配線に入力する走査信号に伝播する。更に、それらの伝播したノイズのうち、非選択状態の行配線の走査信号に伝播されたノイズは、上側領域の列配線に入力する変調信号にまで伝播する（具体的には、第Ｍ行配線近傍での値を揺らす）。その結果、図３（Ｆ）や図３（Ｇ）のように下側領域の帯部分４３に対応した表示斑４２が帯部分４１の下側で発生し、表示品位が低下する。
【００１１】
このようなノイズは幅の大きな画像を表示するための変調信号の立ち上がりや立ち下がりのタイミングで発生する。そのため、変調信号のパルス幅を十分に大きくしてＳＮ比を上げることにより、表示品位の低下を人間の目で検知できない程度に低減できる。しかしながら、ディストーションを低減する為にリフレッシュレートを１２０〜２４０Ｈｚにすると、ＳＮ比が低下し、表示品位の低下が避けられない。具体的には、フルＨＤ(１９２
０×１０８０画素)の大画面パネルの場合、ライン抵抗やライン間容量により印加波形が
鈍る。そのため、パルスの立ち上がりや立ち下がりにそれぞれ１．５μｓ程度を要することとなる。その結果、変調信号の実効パルス幅が４〜１３μｓ程度（≒１μｓ／（５４０
×１２０〜２４０）−１.５×２μｓ）となり、ＳＮ比が低下してしまう。この傾向は高
精細になればなるほど顕著になる。
【００１２】
なお、変調信号の波高値を変調する場合（パルス振幅変調方式）について説明したが、パルス幅を変調する場合（パルス幅変調方式）でも同様な現象が発生する。パルス振幅変調方式では変調信号のパルス幅は比較的大きいため信号レベルも比較的大きいものの、立ち上がりや立ち下がりのタイミングが階調によらず常に一定であるため、ノイズのタイミング（位相）が揃ってしまいノイズレベルも大きくなってしまう。一方、パルス幅変調方式では変調信号の立ち下がりのタイミングが階調によって変わるため、ノイズのタイミング（位相）が分散してノイズレベルが小さくなるが、低階調側ではパルス幅が小さいため信号レベルが小さく、ＳＮ比が小さくなってしまう。いずれの方式（パルス振幅変調方式、パルス幅変調方式）でも、従来のデュアルスキャン方式で表示装置を駆動した場合に、ＳＮ比の低下による表示品位の低下は避けられない。波高値とパルス幅の両方を変調する場合でも、上記理由により同様の現象が発生する。
【００１３】
また、上記現象は上側領域と下側領域の行配線を、それぞれ、互いに独立した２つの走査回路（上側領域用の走査回路と下側領域用の走査回路）で走査すれば解消することができる。しかしながら、その場合には、上側領域と下側領域の行配線に印加する走査信号に僅かでも差異があった場合（２つの走査回路の特性が僅かでも異なっていた場合）に、上側領域と下側領域との境界線が画像に現れ、表示品位がより悪化してしまう。
また、同一ライン上の点灯（駆動）された画素数やその階調値などを計測し、それらの計測値を用いて映像信号や変調信号を補正することにより、ノイズによる輝度変動を低減する方法なども考えられる。しかしながら、上記現象は、同一ラインだけではなく、同時に選択している２ライン間での相互作用により生じるものであり、更に、上側領域と下側領域との境界から選択するラインまでの距離（行数）に応じて相互作用の大きさが変化する複雑な現象である。そのため、補正のための演算が複雑であり、回路規模が膨大となってしまう。したがって、そのような補正を行うことは、演算速度や発熱、コストの面から現実的ではない。
【００１４】
そこで、本発明は、デュアルスキャン方式で画像表示装置を駆動する際に生じる画質の劣化を簡易な構成で低減することのできる技術を提供することを目的とする。
【課題を解決するための手段】
【００１５】
本発明の画像表示装置の第１態様は、走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、前記第１の領域及び前記第２の領域に対して共通に設けられ、前記第１の領域の走査配線を走査する期間の少なくとも一部と前記第２の領域の走査配線を走査する期間の少なくとも一部とが重複するように、各領域の走査配線の走査を行う走査回路と、前記第１の領域に対して設けられ、前記第１の領域の複数の変調配線に変調信号を印加する第１の変調回路と、前記第２の領域に対して設けられ、前記第２の領域の複数の変調配線に変調信号を印加する第２の変調回路と、を有し、前記第１の変調回路が印加する変調信号と前記第２の変調回路が印加する変調信号は、波高値が変化する部分と一定の波高値の部分とを有するパルス信号であり、前記第１の変調回路と前記第２の変調回路は、前記第１の変調回路が印加する変調信号の一定の波高値の部分と前記第２の変調回路が印加する変調信号の一定の波高値の部分とが時間的に重ならないタイミングで、変調信号を印加することを特徴とする。
【００１６】
本発明の画像表示装置の第２態様は、走査方向に並んだ第１の領域と第２の領域を少なくとも有し、該第１の領域と該第２の領域のそれぞれに、マトリクス状に配置された複数
の走査配線と複数の変調配線と、該複数の走査配線と該複数の変調配線とに接続された複数の表示素子と、が設けられている表示パネルと、前記第１の領域及び前記第２の領域に対して共通に設けられ、前記第１の領域の走査配線を走査する期間の少なくとも一部と前記第２の領域の走査配線を走査する期間の少なくとも一部とが重複するように、各領域の走査配線の走査を行う走査回路と、前記第１の領域に対して設けられ、前記第１の領域の複数の変調配線に変調信号を印加する第１の変調回路と、前記第２の領域に対して設けられ、前記第２の領域の複数の変調配線に変調信号を印加する第２の変調回路と、を有し、前記第１の変調回路が印加する変調信号と前記第２の変調回路が印加する変調信号は、パルス幅、又は、パルス幅と波高値の両方が変調されたパルス信号であり、前記第１の変調回路と前記第２の変調回路は、前記第１の変調回路が印加する変調信号の立ち上がりと前記第２の変調回路が印加する変調信号の立ち上がりとが時間的に異なるタイミングで、変調信号を印加することを特徴とする。
【００１７】
本発明の画像表示装置の制御方法の第１態様は、走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、前記第１の領域及び前記第２の領域に対して共通に設けられた走査回路と、前記第１の領域に対して設けられ、前記第１の領域の複数の変調配線に変調信号を印加する第１の変調回路と、前記第２の領域に対して設けられ、前記第２の領域の複数の変調配線に変調信号を印加する第２の変調回路と、を有する画像表示装置の制御方法であって、前記走査回路が、前記第１の領域の走査配線を走査する期間の少なくとも一部と前記第２の領域の走査配線を走査する期間の少なくとも一部とが重複するように、各領域の走査配線の走査を行う走査ステップと、前記第１の変調回路及び前記第２の変調回路が、対応する領域の複数の変調配線に変調信号を印加する印加ステップと、を有し、前記第１の変調回路が印加する変調信号と前記第２の変調回路が印加する変調信号は、波高値が変化する部分と一定の波高値の部分とを有するパルス信号であり、前記印加ステップにおいて、前記第１の変調回路と前記第２の変調回路は、前記第１の変調回路が印加する変調信号の一定の波高値の部分と前記第２の変調回路が印加する変調信号の一定の波高値の部分とが時間的に重ならないタイミングで、変調信号を印加することを特徴とする。
【００１８】
本発明の画像表示装置の制御方法の第２態様は、走査方向に並んだ第１の領域と第２の領域を少なくとも有し、該第１の領域と該第２の領域のそれぞれに、マトリクス状に配置された複数の走査配線と複数の変調配線と、該複数の走査配線と該複数の変調配線とに接続された複数の表示素子と、が設けられている表示パネルと、前記第１の領域及び前記第２の領域に対して共通に設けられた走査回路と、前記第１の領域に対して設けられ、前記第１の領域の複数の変調配線に変調信号を印加する第１の変調回路と、前記第２の領域に対して設けられ、前記第２の領域の複数の変調配線に変調信号を印加する第２の変調回路と、を有する画像表示装置の制御方法であって、前記走査回路が、前記第１の領域の走査配線を走査する期間の少なくとも一部と前記第２の領域の走査配線を走査する期間の少なくとも一部とが重複するように、各領域の走査配線の走査を行う走査ステップと、前記第１の変調回路及び前記第２の変調回路が、対応する領域の複数の変調配線に変調信号を印加する印加ステップと、を有し、前記第１の変調回路が印加する変調信号と前記第２の変調回路が印加する変調信号は、パルス幅、又は、パルス幅と波高値の両方が変調されたパルス信号であり、前記印加ステップにおいて、前記第１の変調回路と前記第２の変調回路は、前記第１の変調回路が印加する変調信号の立ち上がりと前記第２の変調回路が印加する変調信号の立ち上がりとが時間的に異なるタイミングで、変調信号を印加することを特徴とする。
【発明の効果】
【００１９】
本発明によれば、デュアルスキャン方式で画像表示装置を駆動する際に生じる画質の劣化を簡易な構成で低減することができる。
【図面の簡単な説明】
【００２０】
【図１】本実施形態に係る画像表示装置の構成の一例を示す図。
【図２】従来の駆動波形の一例を示す図。
【図３】表示する画像の一例を示す図。
【図４】従来の駆動波形及びノイズの伝播を示す図。
【図５】従来の駆動波形及びノイズの伝播を示す図。
【図６】従来の駆動波形及びノイズの伝播を示す図。
【図７】従来の変調信号の印加タイミングを示す図。
【図８】第１，２の実施形態に係る変調信号の印加タイミングの一例を示す図。
【図９】第３の実施形態に係る変調信号の印加タイミングの一例を示す図。
【図１０】第４の実施形態に係る変調信号の印加タイミングの一例を示す図。
【図１１】第５の実施形態に係る変調信号の印加タイミングの一例を示す図。
【図１２】本実施形態に係る変調信号の印加タイミングの一例を示す図。
【図１３】変調信号のブランク期間の一例を示す図。
【発明を実施するための形態】
【００２１】
＜全体構成＞
以下、本実施形態に係る画像表示装置及びその制御方法について説明する。本発明によれば、デュアルスキャン方式で画像表示装置を駆動する際に生じる画質の劣化を効果的に低減することができる。なお、以下では、表示素子として電界放出素子（電子放出素子）を有する画像表示装置に本発明を適用した例について具体的に説明するが、表示素子の種類はこれに限らない。表示素子は、例えば、プラズマ素子、液晶素子、ＥＬ素子などであってもよい。但し、電圧に対して指数関数的に輝度が変化するＥＬ素子や電子放出素子では、デュアルスキャン方式で画像表示装置を駆動する際に生じる電圧変動が顕著に画像に現れる（画質が大きく劣化する）。そのため、本発明は、そのような表示素子を有する画像表示装置に特に好適に適用できる。
【００２２】
図１（Ａ）は、本実施形態に係る画像表示装置の一例を示す図である。
背面基板１７は、カソードパネルを構成するガラス基板である。背面基板１７は、走査方向に並んだ第１の領域と第２の領域を少なくとも有する。そして、背面基板１７上には、第１の領域と第２の領域のそれぞれに、マトリクス状に配置された複数の走査配線（行配線）と複数の変調配線（列配線）が設けられている。また、背面基板１７上には、それら複数の行配線と複数の列配線とに接続された複数の表示素子（電子放出素子）が設けられている。具体的には、複数の行配線と複数の列配線の各交点に表示素子（電子放出素子）が配置されており、各領域の表示素子は独立に駆動される。なお、本実施形態では、背面基板１７が、画面中央を境に上側領域（第１の領域）と下側領域（第２の領域）の２つの領域を有する場合（変調配線が画面中央を境に上下に分割されている場合）について説明する。なお、カソードパネルの上方には、電子放出素子から放出された電子の衝突により発光する蛍光体を有するアノードパネル（前面基板）が対向配置されており、背面基板１７と共に表示パネルを構成する。
また、本実施形態に係る画像表示装置は、第１の領域及び第２の領域（上側領域及び下側領域）に対して共通に設けられた走査回路１４を有する。そして、上側領域に対して上側変調回路１３（第１の変調回路）が設けられており、下側領域に対して下側変調回路１８（第２の変調回路）が設けられている。上側領域の行配線（上側行配線１６ａ）と下側領域の行配線（下側行配線１６ｂ）は走査回路１４に接続されている。上側領域の列配線（上側列配線１５ａ）は上側変調回路１３に接続され、下側領域の列配線（下側列配線１５ｂ）は下側変調回路１８に接続されている。
【００２３】
また、本実施形態に係る画像表示装置は、映像信号処理部１１、補間フレーム生成部１９、制御信号生成部１２を更に備える。なお、本実施形態では、入力映像信号としてデジタル信号が入力される場合について説明するが、入力映像信号はアナログ信号であってもよい。映像信号処理部１１には、入力映像信号が入力される。補間フレーム生成部１９は、リフレッシュレートを上げるために、入力映像信号のフレーム間を補間する中間フレーム（中間画像）を生成する。制御信号生成部１２は、画像データに応じて駆動回路を制御する（後述する変調信号や走査信号を生成するための制御信号を生成する）。
以下、本実施形態に係る画像表示装置の各機能について詳しく説明する。
【００２４】
走査回路１４は、複数の行配線を同時に選択することができる。本実施形態では、上側行配線１６ａの走査と下側行配線１６ｂの走査を並列に行う。具体的には、上側行配線１６ａを走査する期間の少なくとも一部と下側行配線１６ｂを走査する期間の少なくとも一部とが重複するように、各領域の走査配線の走査を行う。ここで言う「走査」とは行配線を１ラインずつ順次選択する処理のことを意味する。例えば、行配線には選択時に−２０Ｖ、非選択時に７Ｖの電圧（選択電圧；走査信号）が印加される。また、本実施形態では、走査回路１４は、上側領域及び下側領域に対して共通に設けられているため（具体的には、領域間で電源やＧＮＤ電位が共通しているため）、上側領域と下側領域との境界で選択電圧のずれに起因した境界線の発生が抑制される。
【００２５】
上側変調回路１３及び下側変調回路１８は、それぞれ、対応する領域の複数の列配線に変調信号を印加する。具体的には、上側変調回路１３は、複数の上側列配線１５ａに変調信号（上側変調信号）を印加する。下側変調回路１８は、複数の下側列配線１５ｂに変調信号（下側変調信号）を印加する。上側変調回路１３及び下側変調回路１８は、それぞれ、不図示の、シフトレジスタ、ラインメモリ、変調信号生成部などで構成されている。シフトレジスタには、１ライン分(＝１水平走査期間分)の入力映像信号(例えば、Ｒ（赤）
，Ｇ（緑），Ｂ（青）のデジタル信号)が入力される。ラインメモリは、１ライン分の入
力映像信号を保持する。変調信号生成部は、ラインメモリに保持された１ライン分の入力映像信号に応じて各列配線に変調された変調信号Ｖｘを印加する。上側変調信号と下側変調信号は、波高値が変化する部分（変動部分）と一定の波高値の部分（定常部分）とを有するパルス信号である。
【００２６】
ここで、表示素子（電子放出素子）の駆動方法について説明する。なお、以下では、簡単のため、１つの領域についてのみ説明する。また、電子放出素子は、図１（Ｂ）に示すような電子放出特性を有するものとする。図１（Ｂ）において、縦軸は電子放出素子から放出される電子の量（電子量Ｉｃ）を表し、横軸は走査信号と変調信号の差電圧（電子放出素子のゲート電極とカソード電極の差電圧Ｖｇｃ）を表す。
列配線に１５Ｖの変調信号が印加された場合、選択状態の行配線（即ち、−２０Ｖの走査信号が印加されている行配線）に接続されている電子放出素子の電子量Ｉｃは、差電圧Ｖｇｃが３５Ｖとなるため、大きな値となる。その結果、多くの電子が蛍光体に衝突し、高輝度な発光がなされる。その際、非選択状態の行配線（即ち、７Ｖの走査信号が印加されている行配線）に接続されている表示素子からは、差電圧Ｖｇｃが８Ｖとなるため、電子は放出されない（発光は起こらない）。
また、列配線に０Ｖの変調信号が印加された場合には、接続されている行配線が選択状態か否かにかかわらず、電子放出素子からは電子は放出されない。具体的には、選択状態の行配線に接続されている電子放出素子では、差電圧Ｖｇｃは２０Ｖとなるため、電子は放出されない。非選択状態の行配線に接続されている電子放出素子では、差電圧は７Ｖとなるため、電子は放出されない。
【００２７】
このように、変調信号の波高値を入力映像信号に応じて制御することにより、電子放出
素子から放出される電子量を制御することができる（非選択状態の行配線に接続されている電子放出素子からは電子は放出されない）。即ち、変調信号の波高値を制御することにより、選択状態の行配線に接続されている電子放出素子に対応する蛍光体を所望の輝度で発光させることができる。なお、パルス幅、又は、パルス幅と波高値の両方を変調しても所望の階調表現をすることができる（パルス幅を長くするほど高輝度な発光が得られる）。なお、本実施形態に係る画像表示装置では、行配線の選択と同期して複数の列配線（画像１ライン分の列配線）に変調信号を印加することにより、１ライン分の画像が表示される。
【００２８】
映像信号処理部１１は、入力映像信号に画質調整処理やマトリクス処理を施し、Ｒ，Ｇ，Ｂ（各８ビット）のデジタル信号を出力すると共に、水平同期信号及び垂直同期信号を出力する。このＲ，Ｇ，Ｂのデジタル信号，水平同期信号及び垂直同期信号は、補間フレーム生成部１９に入力される。
【００２９】
補間フレーム生成部１９は、入力映像信号の連続する２つのフレーム間を補間する補間フレームを生成して、入力映像信号のリフレッシュレートを高める。例えば、１コマ／６０ｓｅｃの入力映像信号のフレーム間に、１枚の補間フレームを挿入し、１２０コマ／ｓｅｃの映像信号を生成する。なお、入力映像信号のフレーム間に２枚の補間フレームを挿入して、２４０コマ／ｓｅｃの映像信号を生成しても構わない（補間フレームの枚数やリフレッシュレートの値はどのような値であってもよい）。
そして、補間フレーム生成部１９は、生成した映像信号を領域毎に分ける。具体的には、生成した映像信号を上側領域で表示する映像信号（上側映像信号）と下側領域で表示する映像信号（下側映像信号）とに分け、上側映像を上側変調回路１３へ出力し、下側映像を下側変調回路１８へ出力する。上側映像信号、下側映像信号は、例えば、Ｒ，Ｇ，Ｂ（各８ビット）、計２４ビットのパラレル入力のデジタル信号であり、ここでは図示していないが、デジタル映像信号再生用の基準ドットクロックで１画素がサンプリングされている。
また、補間フレーム生成部１９は、水平同期信号及び垂直同期信号を制御信号生成部１２に出力する。
【００３０】
制御信号生成部１２は、水平同期信号及び垂直同期信号に基づいて、制御信号を生成する。具体的には、上側変調回路１３、下側変調回路１８における映像の取り込みの開始タイミングを指示する上側映像取り込み開始パルス、下側映像取り込み開始パルスを生成する。上側変調回路１３、下側変調回路１８の変調信号の発生タイミングを指示する上側変調信号発生パルス，下側変調信号発生パルスを生成する。走査回路１４における走査信号の発生タイミングを指示する走査信号発生パルス、及び、走査配線を走査するための基準シフトクロックとなる行配線選択用シフトクロックを生成する。なお、走査信号発生パルスや行配線選択用シフトクロックは上側領域と下側領域とで共通の情報であってもよいし、領域毎に個別の情報であってもよい。即ち、上側領域と下側領域の走査配線は同時に選択されてもよいし、互いに異なるタイミングで選択されてもよい。
【００３１】
上側変調回路１３は、上側映像信号が入力される直前(例えばドットクロックで１クロ
ック前)に上側映像取り込み開始パルスを検出する。その後、上側映像信号を、１ライン
毎に、ドットクロックに同期して順次シフトレジスタに取り込む。１ライン分の上側映像信号の取り込みが完了した後に、上側変調信号発生パルスを検出し、それに同期して、ラインメモリに該１ライン分の上側映像信号を伝送する。そして、ラインメモリに伝送された１ライン分の映像データを１画素毎に同時にＤ／Ａ変換するなどし、アナログ電圧である変調信号として出力する。
下側変調回路１８は、下側映像取り込み開始パルス、下側変調信号発生パルスなどを検出して、上側変調回路１３と同様に変調信号を出力する。
走査回路１４は、走査信号発生パルスを基点として行配線を選択し、配線選択用シフトクロックに同期して行配線を走査する。
【００３２】
＜従来技術＞
従来の駆動方法（変調信号の印加タイミング）の一例を図７に示す。なお、第１行配線（画面上から１番目の行配線）〜第Ｍ行配線（画面上からＭ番目の行配線）が上側領域の行配線である。第Ｍ＋１行配線（画面上からＭ＋１番目の行配線）〜第２Ｍ行配線（画面上から２Ｍ番目の行配線）が下側領域の行配線である。また、図７は上側領域の行配線と下側領域の行配線を、それぞれ、上から下へ走査する場合の例である。なお、図中「第Ｘ行の第Ａ列配線駆動波形」（Ｘは１〜２Ｍの整数）とは、第Ｘ行配線の選択に同期して第Ａ列配線に印加される変調信号の波形を意味する。
【００３３】
図７に示すように、従来の方法では、上側領域と下側領域とで変調信号を印加するタイミングが一致している。そのため、図１２（Ａ）に示すように、一方（ノイズ発生源）の変調信号のノイズ（電位の揺れ）が発生するタイミングＢ，Ｃが他方（ノイズ受容源）の変調信号の定常部分（発光輝度に対するノイズの影響の大きい期間Ａ１）に重なることとなる。その結果、ノイズの伝播により表示品位が低下してしまう（画質が劣化してしまう）。また、ノイズは伝播する過程で徐々に減衰するため、例えば、図７の矢印で示す位置にノイズが伝播する。そのため、図３（Ｂ）のような画像を表示しようとすると、図３（Ｆ）のように表示斑４２が生じてしまう。
なお、図７，図１２（Ａ）は、変調信号の波高値を変調する場合（パルス振幅変調方式）の例であるが、パルス幅を変調する場合（パルス幅変調方式）でも同様な現象が発生する。パルス幅と波高値の両方を変調する場合でも同様な現象が発生する。
【００３４】
＜本実施形態に係る駆動方法＞
以下に、本実施形態に係る駆動方法（変調信号の印加タイミング）について説明する。
（第１の実施形態）
第１の実施形態では、図８（Ａ），図１２（Ｂ）に示すように、上側変調回路１３と下側変調回路１８は、上側変調信号の定常部分と下側変調信号の定常部分とが時間的に重ならないタイミングで、変調信号を印加する。即ち、図１２（Ｂ）の期間Ａ２と期間Ａ３，Ａ４とが時間的に重ならないタイミングで変調信号を印加する。
例えば、上側変調回路１３と下側変調回路１８は、図１３（Ａ）に示すように、ある行配線の選択に同期して印加する変調信号とその次の行配線の選択に同期して印加する変調信号との間に一定のブランク期間（図１２（Ｂ）の期間Ａ２に相当）を設ける。そして、一方の変調信号のブランク期間に他方の変調信号の定常部分が存在するタイミングで、変調信号を印加する。ここで、「ブランク期間」とは、変調信号を印加しない期間のことである。
【００３５】
このような構成にすることにより、図１２（Ｂ）に示すように、ノイズ発生源の変調信号のノイズが発生するタイミングＢ１，Ｂ２，Ｃ１，Ｃ２がノイズ受容源の変調信号の定常部分（期間Ａ２）とずれることになる。その結果、伝播したノイズによる表示品位の低下を低減することができる。
なお、図８（Ａ），図１２（Ｂ）は、パルス振幅変調方式の例であるが、第１の実施形態は、パルス幅変調方式やパルス幅と波高値の両方を変調する場合にも適用することができる。
なお、第１の実施形態では、上側領域の走査配線の走査方向と下側領域の走査配線の走査方向とを同じ方向としたが、走査方向はこれに限らない。上側領域の走査配線を、下側領域の走査配線とは逆方向に走査してもよい。
【００３６】
（第２の実施形態）
第１の実施形態では、ある行配線の選択に同期して印加する変調信号とその次の行配線の選択に同期して印加する変調信号との間に一定のブランク期間を設けていた。そのため、駆動時間のロスが生じ、リフレッシュレートを維持しようとすると変調信号のパルス幅が低下し、最大輝度が低下してしまう。
【００３７】
そこで、第２の実施形態では、上側変調回路１３と下側変調回路１８は、走査回路１４により上側領域と下側領域の間の境界から所定の範囲内に位置する行配線（境界近傍の行配線）が選択されている期間のみ、変調信号間にブランク期間を設ける。具体的には、上側変調回路１３と下側変調回路１８は、図８（Ｂ），図１３（Ｂ）に示すように、第Ｍ−２行〜第Ｍ＋３行の変調信号の定常期間にのみ上側変調信号の定常部分と下側変調信号の定常部分とが時間的に重ならないタイミングで、変調信号を印加する。
【００３８】
伝播したノイズによる表示品位の低下は、上側領域と下側領域の間の境界近傍で生じる。そのため、第２の実施形態では、第１の実施形態と同様の理由により、伝播したノイズによる表示品位の低下を低減することができる。
さらに、第２の実施形態では、境界近傍の走査配線が選択されている期間のみ、変調信号間にブランク期間が設けられるため、第１の実施形態に比べて必要となる総ブランク期間を短くすることができる。その結果、駆動時間のロスを第１の実施形態よりも大幅に軽減でき、最大輝度の低下を低減することができる。
【００３９】
なお、ブランク期間は一定値であってもよいし、図１３（Ｂ）に示すように境界からの距離に応じて（伝播するノイズの減衰量に応じて）位置毎に異ならせてもよい。具体的には、境界から離れるにつれてブランク期間を短くしてもよい。
なお、図８（Ｂ）の例では、所定の範囲内に第Ｍ−２行配線〜第Ｍ＋３行配線が位置するものとしたが、所定の範囲はこれに限らない。上側領域と下側領域とを全て含む領域でなければ、上記効果が得られる。
なお、図８（Ｂ）は、パルス振幅変調方式の例であるが、第２の実施形態は、パルス幅変調方式やパルス幅と波高値の両方を変調する場合にも適用することができる。
【００４０】
(第３の実施形態)
第３の実施形態では、走査回路１４が、上側領域の走査配線を、下側領域の走査配線とは逆方向に走査する。具体的には、図９（Ａ）に示すように、上側領域では上から下へ走査し、下側領域では下から上へ走査する。または、図９（Ｂ）に示すように、上側領域では下から上へ走査し、下側領域では上から下へ走査する。それ以外は、第２の実施形態と同様である。
そのため、第３の実施形態では、第２の実施形態と同じ理由により表示品位の低下を低減することができる。
【００４１】
また、第２の実施形態では、図８（Ｂ）に示すように、上側領域の走査配線の走査方向と下側領域の走査配線の走査方向とが同じ方向であったため、上側領域と下側領域とで境界近傍の走査配線を選択するタイミングが大きく異なっていた。そのため、図１３（Ｂ）に示すように、走査の初期と終期でそれぞれブランク期間が必要であった。
一方、第３の実施形態では、上側領域の走査配線を、下側領域の走査配線とは逆方向に走査することにより、上側領域と下側領域とで境界近傍の行配線を選択するタイミングを近づける（または、等しく）することができる。それにより、図９（Ａ）に示すような走査を行った場合には、図１３（Ｃ）に示すように、走査の終期にのみブランク期間が設けられることとなる。図９（Ｂ）に示すような走査を行った場合には、図１３（Ｄ）に示すように、走査の初期にのみブランク期間が設けられることとなる。そのため、第２の実施形態に比べ総ブランク期間をより短くすることができる（半分にすることができる）。
なお、図９（Ａ），図９（Ｂ）は、パルス振幅変調方式の例であるが、第３の実施形態
は、パルス幅変調方式やパルス幅と波高値の両方を変調する場合にも適用することができる。
【００４２】
（第４の実施形態）
第４の実施形態では、上側変調信号と下側変調信号は、パルス幅、又は、パルス幅と波高値の両方が変調されたパルス信号であるものとする。そして、図１０，図１２（Ｃ）に示すように、上側変調回路１３と下側変調回路１８は、上側変調信号の立ち上がりと下側変調信号の立ち上がりとが時間的に異なるタイミングで、変調信号を印加する。なお、第４の実施形態では、行配線を選択するタイミングが上側領域と下側領域とで異なるものとする。
【００４３】
変調信号のパルス幅を変調する場合、パルス幅が小さいほどＳＮ比が小さくなる。即ち、パルス幅が小さいほど伝播するノイズの影響を強く受ける。
第４の実施形態では、一方の変調信号の立ち上がりと他方の変調信号の立ち上がりとが時間的に異なるため、パルス幅が小さい変調信号同士は時間的に重ならなくなる。例えば、図１２（Ｃ）の期間Ａ６，Ａ７と期間Ａ５とが時間的に重ならなくなる。そのため、ノイズ発生源とノイズ受容源とで変調信号のパルス幅が共に小さければ、ノイズ発生源の変調信号のノイズが発生するタイミングがノイズ受容源の変調信号の印加期間とずれ、伝播したノイズによる表示品位の低下を低減することができる。
【００４４】
ノイズ発生源の変調信号のパルス幅が大きい場合（明るい表示をする場合）には、ノイズ受容源の変調信号の印加期間にノイズが発生し、伝播することとなる。但し、ノイズは、行方向の長さが長い画像（ノイズ発生源画像）を表示するときに発生するため、ノイズ発生源画像の表示面積は大きい。即ち、ノイズ受容源の変調信号に影響を与える（伝播される）ノイズは、広範囲に明るい表示をする際に生じる。
ここで、ノイズ受容源の変調信号のパルス幅が小さい場合（暗い表示をする場合）には、明るい物体と暗い物体が表示される。そして、暗い物体に、伝播したノイズによる表示斑が生じることとなる。しかしながら、人間の目の特性によれば、明るい物体と暗い物体を表示した場合に、暗い物体の視認性は大幅に低下するので、表示斑は殆ど視認されることはない。
ノイズ受容源が変調信号のパルス幅が大きい場合には、信号レベルが大きいためＳＮ比が大きく表示品位の低下は非常に小さい。
【００４５】
このように、第４の実施形態では、ノイズ受容源の変調信号のパルス幅によらずノイズの伝播による表示品位の低下を低減できる。
また、第４の実施形態では、パルス幅の大きい変調信号とパルス幅の小さい変調信号は重なっていてもよいため、図１０，図１２(Ｃ)のように、最大パルス幅のときにブランク期間の無い構成とすることができる。その結果、最大輝度の低下を起こさずに表示品位の低下を低減できる。なお、最大パルス幅のときにブランク期間のある構成であってもよく、そのような構成にすれば、表示品位の低下をより低減することができる。
【００４６】
なお、図１０，図１２(Ｃ)は、一方の変調信号の立ち上がりと他方の変調信号の立ち上がりとが１水平走査期間の略半分の時間だけずれている場合の例であるが、一方の変調信号の立ち上がりと他方の変調信号の立ち上がりとのズレ量はこれに限らない。１水平走査期間の略半分の時間より長くてもよいし、短くてもよい。少しでもずれていれば、上記効果が得られる。
なお、図１０，図１２(Ｃ)は、上側変調信号と下側変調信号がパルス幅と波高値の両方が変調されたパルス信号である場合の例であるが、それらの変調信号はパルス幅のみが変調されたパルス信号であってもよい。その場合にも上記効果が得られる。
【００４７】
（第５の実施形態）
第５の実施形態では、走査回路１４が、上側領域の走査配線を、下側領域の走査配線とは逆方向に走査する。具体的には、図１１（Ａ）に示すように、上側領域では上から下へ走査し、下側領域では下から上へ走査する。または、図１１（Ｂ）に示すように、上側領域では下から上へ走査し、下側領域では上から下へ走査する。それ以外は、第４の実施形態と同様である。
そのため、第５の実施形態では、第４の実施形態と同じ理由により最大輝度の低下を起こさずに表示品位の低下を低減できる。
【００４８】
また、第５の実施形態では、ノイズ発生源の変調信号のパルス幅が大きい場合に、図３（Ｇ）に示すように、ノイズ発生源画像と表示斑とが必ず近い位置となる（それらは領域間の境界近傍に位置することとなる）。そして、人間の目の特性から、明るい物体と暗い物体の距離が近いほど、暗い物体の視認性は低下する。そのため、ノイズ受容源の変調信号のパルス幅が小さい場合に、第４の実施形態よりも表示斑の視認性を低下させ、表示品位の低下をより低減することができる。
【００４９】
以上述べたように、上記第１〜第５の実施形態の構成によれば、変調信号を印加するタイミングを調整するという簡易な構成で、デュアルスキャン方式で画像表示装置を駆動する際に生じる画質の劣化を低減することができる。変調信号を印加するタイミングの調整は、例えば、簡単な遅延回路やタイミング制御回路を用いて行うことができる（低コストで実現できる）。
【００５０】
なお、上記第１〜第５の実施形態において、上側変調信号と下側変調信号は、パルス幅、又は、パルス幅と波高値の両方が変調されたパルス信号であって、表示素子の表示特性のばらつきを補正するためにパルス幅が補正された信号であることが好ましい。
そのような構成にすることにより、ノイズ発生源の変調信号のノイズが発生するタイミングが分散するため、ノイズ受容源の変調信号の定常部分に該タイミングが重なる確率が低くなる。その結果、表示斑が発生する確率を小さくすることができる（表示斑の発生量を低減することができる）。
なお、上記第１〜第５の実施形態では、走査配線を行配線、変調配線を列配線としたが、走査配線を列配線、変調配線を行配線としてもよい。
なお、本実施形態では、表示パネルが上側領域と下側領域の２つの領域を有する構成としたが、領域の数はいくつでもよい（例えば、４つや９つでもよい）。走査方向に並んだ２つの領域を少なくとも含んでいればよい。
【符号の説明】
【００５１】
１３  上側変調回路
１４  走査回路
１５ａ  上側列配線
１５ｂ  下側列配線
１６ａ  上側行配線
１６ｂ  下側行配線
１７  背面基板
１８  下側変調回路
【図１】
2011141360.tif 000003
【図２】
2011141360.tif 000004
【図３】
2011141360.tif 000005
【図４】
2011141360.tif 000006
【図５】
2011141360.tif 000007
【図６】
2011141360.tif 000008
【図７】
2011141360.tif 000009
【図８】
2011141360.tif 000010
【図９】
2011141360.tif 000011
【図１０】
2011141360.tif 000012
【図１１】
2011141360.tif 000013
【図１２】
2011141360.tif 000014
【図１３】
2011141360.tif 000015